(57)【特許請求の範囲】
【請求項１】
複数の基板を積層して成るとともに、最上層に位置する基板に凹部を有する基体と、
前記凹部内に設けられる温度ヒューズエレメントと、
前記基体内に設けられ、平面透視して前記温度ヒューズエレメントと重なる領域であって、前記温度ヒューズエレメントと間を空けて設けられる発熱抵抗体と、を備え、
前記発熱抵抗体と前記温度ヒューズエレメントとの間の基板には、伝熱層が設けられていることを特徴とする抵抗温度ヒューズ。
【請求項２】
請求項１に記載の抵抗温度ヒューズであって、
前記温度ヒューズエレメントと電気的に接続される電極層が、前記最上層に位置する基板の上面から前記凹部内にわたって形成されることを特徴とする抵抗温度ヒューズ。
【請求項３】
請求項１又は請求項２に記載の抵抗温度ヒューズであって、
前記凹部の内壁面は、下部から上部に向かって漸次内方から外方に向かって広がっていることを特徴とする抵抗温度ヒューズ。
【請求項４】
請求項１乃至請求項３のいずれかに記載の抵抗温度ヒューズであって、
前記温度ヒューズエレメントと前記基体の前記温度ヒューズエレメントが実装される実装面との間には、溶融した前記温度ヒューズエレメントとの濡れ性が前記実装面との濡れ性よりも小さい被覆層が形成されていることを特徴とする抵抗温度ヒューズ。
【請求項５】
請求項１乃至請求項４のいずれかに記載の抵抗温度ヒューズであって、
前記温度ヒューズエレメントは、フラックスで被覆されていることを特徴とする抵抗温度ヒューズ。
【発明の詳細な説明】
【技術分野】
【０００１】
本発明は、温度ヒューズエレメントが実装される抵抗温度ヒューズパッケージ、並びに、外部からの信号に基づいて発熱抵抗体を高温にし、発熱抵抗体の温度に起因して温度ヒューズエレメントを溶断する抵抗温度ヒューズに関する。
【背景技術】
【０００２】
近年、抵抗温度ヒューズパッケージ、並びに抵抗温度ヒューズの作動特性を向上させる開発が進められている（例えば、特許文献１参照）。
【先行技術文献】
【特許文献】
【０００３】
【特許文献１】特開平１１−９６８７１号公報
【発明の概要】
【発明が解決しようとする課題】
【０００４】
抵抗温度ヒューズの開発において、温度ヒューズエレメントの作動特性を良好に維持する技術が求められている。本発明は、上記に鑑みてなされたものであって、作動特性を良好に維持することが可能な抵抗温度ヒューズパッケージ、並びに抵抗温度ヒューズを提供することを目的とする。
【課題を解決するための手段】
【０００５】
上記課題を解決するために、本発明の実施の態様に係る抵抗温度ヒューズは、複数の基板を積層して成るとともに、最上層に位置する基板に凹部を有する基体と、前記凹部内に
設けられる温度ヒューズエレメントと、前記基体内に設けられ、平面透視して前記温度ヒューズエレメントと重なる領域であって、前記温度ヒューズエレメントと間を空けて設けられる発熱抵抗体と、を備え、前記発熱抵抗体と前記温度ヒューズエレメントとの間の基板には、伝熱層が設けられていることを特徴とする。
【発明の効果】
【０００７】
本発明によれば、作動特性を良好に維持することが可能な抵抗温度ヒューズパッケージ、並びに抵抗温度ヒューズを提供することができる。
【図面の簡単な説明】
【０００８】
【図１】本実施形態に係る抵抗温度ヒューズの概観を示す斜視図である。
【図２】本実施形態に係る抵抗温度ヒューズパッケージの概観を示す斜視図である。
【図３】図１のＸ−Ｘ’に沿った抵抗温度ヒューズの断面図である。
【図４】図１のＹ−Ｙ’に沿った抵抗温度ヒューズの断面図である。
【図５】本実施形態に係る抵抗温度ヒューズの発熱抵抗体を示す基板の透過斜視図である。
【図６】本実施形態に係る抵抗温度ヒューズと支持体とを接合した状態を示す斜視図である。
【図７】一変形例に係る抵抗温度ヒューズパッケージの断面図である。
【図８】一変形例に係る抵抗温度ヒューズの断面図である。
【図９】一変形例に係る抵抗温度ヒューズの断面図である。
【図１０】一変形例に係る抵抗温度ヒューズパッケージの概観を示す斜視図である。
【図１１】一変形例に係る抵抗温度ヒューズと支持体とを接合した状態を示す斜視図である。
【発明を実施するための形態】
【０００９】
以下に添付図面を参照して、本発明にかかる抵抗温度ヒューズの実施形態を説明する。なお、本発明は以下の実施形態に限定されないものとする。
【００１０】
＜抵抗温度ヒューズの概略構成＞
図１は、本実施形態に係る抵抗温度ヒューズの概観斜視図であって、温度ヒューズエレメントを被覆するフラックスを形成したものである。図２は、本実施形態に係る抵抗温度ヒューズパッケージの概観斜視図であって、温度ヒューズエレメント及びフラックスを除いた状態を示すものである。
【００１１】
また、図３は、図１のＸ−Ｘ’に沿った抵抗温度ヒューズの断面図である。図４は、図１のＹ−Ｙ’に沿った抵抗温度ヒューズの断面図である。図５は、抵抗温度ヒューズの発熱抵抗体を示す基板の透過斜視図である。
【００１２】
本実施形態の抵抗温度ヒューズ１は、回路保護素子として用いるものであって、特定の回路に異常検出器とともに組み込むものである。そして、回路の異常発生時に、異常検出器が回路の異常を検出し発熱抵抗体を通電する。その結果、抵抗温度ヒューズ１は、発熱抵抗体が高温となり、その温度によって温度ヒューズエレメントを溶断することで、回路の動作を緊急停止させるものである。
【００１３】
本実施形態に係る抵抗温度ヒューズ１は、抵抗温度ヒューズパッケージ２と、抵抗温度ヒューズパッケージ２に実装される温度ヒューズエレメント３とを備えている。
【００１４】
また、本実施形態に係る抵抗温度ヒューズパッケージ２は、複数の基板を積層して成るとともに、最上層に位置する基板に凹部Ｐが設けられ、凹部Ｐ内に温度ヒューズエレメント３が実装される実装面Ｒを有する基体４と、基体４内に設けられ、平面透視して実装面Ｒと重なる領域であって、実装面Ｒと間を空けて設けられる発熱抵抗体５と、を備えている。なお、ここで、間を空けてとは、厚み方向に間が空いていることをいう。
【００１５】
基体４は、絶縁性の基板を複数積層したものであって、例えば、アルミナ、ムライト又は窒化アルミ等のセラミック材料、或いはガラスセラミック材料等から成る。または、これらの材料のうち複数の材料を混合した複合系材料から成る。なお、基体４を構成する基板の厚みは、例えば、０．０５ｍｍ以上２ｍｍ以下に設定されている。また、基板の熱伝導率は、例えば、１４Ｗ／ｍ・Ｋ以上２００Ｗ／ｍ・Ｋ以下に設定されている。
【００１６】
基体４の最上層に位置する基板４ａの上面及び凹部Ｐ内には、温度ヒューズエレメント３を実装したときに、温度ヒューズエレメント３と電気的に接続される電極層６が形成されている。また、電極層６の一部は、基体４の上面から基体４の側面を介して基体４内にわたって形成されている。なお、本実施形態では、基体４の最上層に位置する第１基板を基板４ａとし、基体４の中層に位置する第２基板を基板４ｂとし、基体４の最下層に位置する第３基板を基板４ｃとする。
【００１７】
基体４内にまで延在される電極層６の一部は、基板４ｂの下面にまで形成される。そして、基板４ｂの下面に形成される発熱抵抗体５と電気的に接続される。
【００１８】
本実施形態では、電極層６は、温度ヒューズエレメント３が溶断したときに、電極層６が電気的にオープンになるように形成されている。なお、電極層６は、温度ヒューズエレメント３と電気的に接続されるものであって、任意のパターンに形成されている。電極層６の幅は、例えば、０．０５ｍｍ以上１０ｍｍ以下に設定されている。ここで、電極層６の幅とは、電極層６に流れる電流方向と直交する方向の幅をいう。
【００１９】
電極層６は、例えば、タングステン、モリブデン、ニッケル、銅、銀、金又はアルミニウム等の金属材料、或いはそれらの合金、或いはこれらの材料のうち複数の材料を混合した複合系材料、或いはそれらの材料の複合層からなる。
【００２０】
基板４ａに形成される凹部Ｐは、温度ヒューズエレメント３を設けるものである。凹部Ｐは、基板４ａを貫通しており、基板４ａと基板４ｂを重ね合わせたときに、凹部Ｐから基板４ｂの上面の一部が露出する。凹部Ｐは、平面視して一辺の長さが、例えば１ｍｍ以上１１ｍｍ以下に設定されている。また、凹部Ｐの深さは、例えば０．２ｍｍ以上４ｍｍ以下に設定されている。
【００２１】
また、基体４の最下層に位置する基板４ｃは、抵抗温度ヒューズ１を外部の回路に設けるときに、土台となるものである。そして、基体４の最下層に位置する基板４ｃが外部の回路との接合用土台となることができる。
【００２２】
基体４の最下層に位置する基板４ｃの下面には、導電層７が形成されている。導電層７は、基体４の下面から基体４の側面を介して基板４ｂと基板４ｃとの間に形成される。抵抗温度ヒューズ１とともに回路に組込まれた異常検出器による回路の異常検出により、導電層７を介して、発熱抵抗体５に通電し、発熱抵抗体５の温度を上昇させる。さらに、発熱抵抗体５の温度に起因して、温度ヒューズエレメント３を溶断することができる。なお、導電層７の幅は、例えば、０．０５ｍｍ以上１０ｍｍ以下に設定されている。ここで、導電層７の幅とは、導電層７に流れる電流方向と直交する方向の幅をいう。
【００２３】
導電層７は、例えば、タングステン、モリブデン、ニッケル、銅、銀、金又はアルミニウム等の金属材料、或いはそれらの合金、複数の材料を混合した複合系材料、或いはそれらの材料の複合層からなる。
【００２４】
基体４の最上層に位置する基板４ａの凹部Ｐには、温度ヒューズエレメント３が実装される。温度ヒューズエレメント３は、特定の温度以上になると溶断するものである。温度ヒューズエレメント３は、例えば、インジウム、ビスマス又は錫等の導電材料、或いはこれらの混合材料からなる。また、温度ヒューズエレメント３の溶断する融点は、例えば、８０℃以上１８０℃以下に設定されている。
【００２５】
温度ヒューズエレメント３は、平面透視したときに発熱抵抗体５と重なる領域に設けられ、矩形状に形成される。また、温度ヒューズエレメント３は、平面透視したときに発熱抵抗体５が存在する領域から食み出さないように設けられると、発熱抵抗体５の温度を効率良く温度ヒューズエレメント３に伝えることができる。なお、温度ヒューズエレメント３の厚みは、例えば、０．１ｍｍ以上３．０ｍｍ以下であって、平面視したときの一辺の長さが、例えば、０．１ｍｍ以上１０．０ｍｍ以下に設定されている。
【００２６】
温度ヒューズエレメント３は、凹部Ｐから食み出さないように形成されている。温度ヒューズエレメント３が、凹部Ｐ内から上方に向かって突出しないことにより、抵抗温度ヒューズ１を外部の回路に実装するときに、抵抗温度ヒューズエレメント３が外部の部材と接触する虞を低減することができる。その結果、抵抗温度ヒューズエレメント３が抵抗温度ヒューズパッケージ２から剥離する機会を低減することができる。
【００２７】
また、凹部Ｐが設けられていることで、温度ヒューズエレメント３を形成する際に、温度ヒューズエレメント３の一部が凹部Ｐ内から食み出しにくいため、抵抗温度ヒューズパッケージ２に対する温度ヒューズエレメント３の位置ずれを抑制することができる。
【００２８】
図２又は図３に示すように、基体４の最上層に位置する基板４ａの凹部Ｐ内には、温度ヒューズエレメント３と重なる領域の一部に被覆層８が形成されている。被覆層８は、基板４の温度ヒューズエレメント３が実装される実装面Ｒ上に形成されている。被覆層８は、温度ヒューズエレメント３の溶融体との濡れ性が基板４の上面に形成された温度ヒューズエレメント実装面Ｒの濡れ性よりも小さい濡れ性の材料であって、例えば、ガラス又はポリテトラフルオロエチレン等の材料から成る。
【００２９】
実装面Ｒは、温度ヒューズエレメント３が溶断したときに、温度ヒューズエレメント３を構成する材料の溶融体が濡れやすくするためのものであって、被覆層８上に溶断した温度ヒューズエレメント３の一部が付着しにくくするものである。実装面Ｒは、実装面Ｒ上に溶断した温度ヒューズエレメント３を構成する材料の溶融体が濡れ、溶融体の表面張力作用により被覆層８上の温度ヒューズエレメント３を構成する材料の溶融体を吸収する作用により、被覆層８上に温度ヒューズエレメント３を構成する材料の溶融体が残存付着しにくくなり、温度ヒューズエレメント３の直下に位置する一対の電極層６間を電気的にオープンにすることができる。
【００３０】
基体４の最上層に設けられ、平面透視して温度ヒューズエレメント３と重なる領域であって、温度ヒューズエレメント３と間を空けて発熱抵抗体５が形成されている。なお、間を空けてとは、厚み方向に間が空いていることをいう。発熱抵抗体５は、図２又は図４に示すように、基体４の中層に位置する基板４ｂの下面に形成されている。発熱抵抗体５は、温度ヒューズエレメント３に発熱した温度を伝えて、温度ヒューズエレメント３を溶断するものである。発熱抵抗体５は、平面透視して温度ヒューズエレメント３と重なる領域であって、温度ヒューズエレメント３と基板４ａを介して設けられている。
【００３１】
発熱抵抗体５は、図５に示すように、一端が電極層６と接続され、他端が導電層７と接続される。発熱抵抗体５は、所要の発熱量を確保するための抵抗値を有しており、その抵抗値確保方法の例示として、そのパターン形状は基板４の下面にて何度も折れ曲がって形成されている。そして、発熱抵抗体５の幅は、電極層６及び導電層７の幅よりも小さく設定されている。発熱抵抗体５の幅を電極層６及び導電層７の幅よりも小さくすることで、発熱抵抗体５の電気抵抗を大きくし、発熱抵抗体５部分にて発生するジュール熱の制御を容易にすることができる。
【００３２】
発熱抵抗体５には、抵抗温度ヒューズとともに回路に組込まれた異常検出器による回路の異常検出によって、導電層７を介して発熱抵抗体５に通電する。そして、発熱抵抗体５の電気抵抗が大きいために、発熱抵抗体５の温度が上昇する。さらに、その温度が、基板４を介して温度ヒューズエレメント３に伝わり、温度ヒューズエレメント３が所定温度以上になると溶断する。なお、発熱抵抗体５は、例えば、タングステン又はプラチナ等の材料から成る。
【００３３】
温度ヒューズエレメント３は、フラックス９で被覆されている。フラックス９は、熱伝導性の優れた材料であって、例えば、松脂をテレピン油に溶かしてペースト状にしたもの、或いは塩化亜鉛等の材料から成る。フラックス９は、温度ヒューズエレメント３に発熱抵抗体５の温度を伝えやすくするものである。そして、発熱抵抗体５の温度と温度ヒューズエレメント３の温度差を小さくすることができる。
【００３４】
また、フラックス９は、凹部Ｐ内から上方に食み出さないように形成されている。凹部Ｐ内にフラックス９が収まることで、フラックス９が外部の部材と接触する機会を低減することができ、フラックス９から温度ヒューズエレメント３への衝撃を与える機会を少なくすることができる。しいては、抵抗温度ヒューズパッケージ２から温度ヒューズエレメント３が剥離する虞を低減することができる。
【００３５】
図６は、抵抗温度ヒューズ１と支持体１０とを接続した状態を示す概観斜視図である。
【００３６】
図５に示すように、抵抗温度ヒューズ１の基体４の最下層に位置する基板４ｃの下面には、支持体１０が形成されている。支持体１０は、抵抗温度ヒューズ１を外部の回路に実装するときに、外部の回路と電気的に接続するものである。抵抗温度ヒューズ１を外部の回路に実装するときに、仮に、支持体１０が無く抵抗温度ヒューズ１の基体４を半田等の接着材を介して外部の回路と接続しようとすると、接着材の溶融温度によっては、抵抗温度ヒューズ１の温度ヒューズエレメント３が溶断する虞がある。このようなケースにおいては、抵抗温度ヒューズ１に支持体１０を設け、支持体１０の下面を介して外部の回路と接続することにより、抵抗温度ヒューズの実装作業を容易にするとともに、実装後の抵抗温度ヒューズの作動信頼性を向上させ得る。
【００３７】
支持体１０には、図６に示すように、孔Ｈが形成されている。孔Ｈは、支持体１０の下面の高さ位置よりも高い箇所であって、抵抗温度ヒューズ１と支持体１０との間に設けられている。支持体１０の下面を半田等の接着材を介して外部の回路と接続するときに、支持体１０の下面の電気伝導性接合材の接合時の熱が抵抗温度ヒューズ１に伝わろうとする。支持体１０と抵抗温度ヒューズ１との間に孔Ｈが形成されていることにより、支持体１０の下面から抵抗温度ヒューズ１に向かって伝わる熱の熱伝導断面積を小さくすることができ、抵抗温度ヒューズ１に熱を伝わりにくくすることができる。
【００３８】
上述したように、本実施形態によれば、外部回路に抵抗温度ヒューズを実装するときに、凹部内に温度ヒューズエレメントが位置することで、温度ヒューズエレメント又はフラックスが外部の部材と接触する機会を低減することができる。そして、温度ヒューズエレメント又はフラックスに不用意に衝撃が伝わるのを低減することができ、温度ヒューズパッケージから温度ヒューズエレメント又はフラックスが剥離する機会を低減することができる。その結果、作動特性を良好に維持することが可能な抵抗温度ヒューズパッケージ、並びに抵抗温度ヒューズを提供することができる。
【００３９】
なお、本発明は上述の形態に限定されるものではなく、本発明の要旨を逸脱しない範囲において種々の変更、改良等が可能である。以下、本実施形態の変形例について説明する。なお、本実施形態の変形例に係る抵抗温度ヒューズ１のうち、本実施形態に係る抵抗温度ヒューズ１と同様な部分については、同一の符号を付して適宜説明を省略する。
【００４０】
＜変形例＞
図７は、一変形例に係る抵抗温度ヒューズパッケージ２の断面図であって、温度ヒューズエレメント３の実装面Ｒと発熱抵抗体５との間に伝熱層１１を介在させたものである。
【００４１】
上述した実施形態では、図３に示すように、温度ヒューズエレメント３と発熱抵抗体５との間には基板４が介在されているのみの構成であったが、これに限られない。例えば、図７に示すように、温度ヒューズエレメント３と発熱抵抗体５との間に、熱伝導率の優れた伝熱層１１を設けても良い。
【００４２】
伝熱層１１は、図７に示すように、温度ヒューズエレメント３と発熱抵抗体５との間であって、平面透視して温度ヒューズエレメント３と発熱抵抗体５と重なる領域に設けられる。基体４の基板４ｂを複数層に形成することにより、その内部に伝熱層１１を設けることができる。また、基板４ａを複数層から構成し、その内部に発熱抵抗体５を形成することにより、発熱抵抗体５と温度ヒューズエレメント３との間の距離を短くすることができ、発熱抵抗体５の温度を温度ヒューズエレメント３に伝えやすくすることができる。
【００４３】
伝熱層１１は、発熱抵抗体５から、発熱抵抗体５と伝熱層１１の間に位置する基板４の一部を介して熱が伝わる。伝熱層１１に伝わる熱は、伝熱層１１から、伝熱層１１と温度ヒューズエレメント３との間に位置する基板４の一部を介して熱が伝わる。伝熱層１１は、発熱抵抗体５から熱が伝わりやすいように、例えば、銅又はタングステン等の熱伝導率の優れた材料、或いはこれらの混合材料から成る。
【００４４】
図８は、一変形例に係る抵抗温度ヒューズパッケージ２の断面図であって、凹部Ｐの内壁面の形状を変形させたものである。
【００４５】
図８に示すように、凹部Ｐの内壁面は、下部から上部に向かって漸次内方から外方に向かって広がるように形成する。凹部Ｐの内壁面の傾斜角度を、凹部Ｐの底面に対して緩やかにする。そうすることで、温度ヒューズエレメント３が溶断して、電極層８又は被覆層８上に濡れ広がるときに、凹部Ｐ内から基板４ａの上面にまで広がりやすくすることができる。その結果、温度ヒューズエレメント３が溶断して、温度ヒューズエレメント３の溶融体の一部が、一対の電極層６同士の間に残存しにくくすることができる。そして、一対の電極層６同士の間を電気的にオープンにし、抵抗温度ヒューズ１又は抵抗温度ヒューズパッケージ２の作動特性を良好にすることができる。
【００４６】
図９は、一変形例に係る抵抗温度ヒューズパッケージ２の断面図であって、基体４内にコーティング層４ｄを設けたものである。
【００４７】
図９に示すように、基板４ａと基板４ｃとの間に、基板４ｂの代わりにコーティング層４ｄを設けることで、温度ヒューズエレメント３と発熱抵抗体５との距離を短くし、発熱抵抗体５から温度ヒューズエレメント３に熱を伝わりやすくすることができ、温度ヒューズエレメント３の溶断をスムーズにすることができる。
【００４８】
コーティング層４ｄは、例えばスクリーン印刷法を用いて、基板４ａ上に形成することができる。なお、コーティング層４ｄは、基板４ａ又は基板４ｂと同様に、例えば、アルミナ、ムライト又は窒化アルミ等のセラミック材料、或いはガラスセラミック材料等から成る。または、これらの材料のうち複数の材料を混合した複合系材料から成る。コーティング層４ｄの厚みは、例えば、５μｍ以上３０μｍ以下に設定することができる。
【００４９】
図１０は、一変形例に係る抵抗温度ヒューズパッケージ２の概観斜視図である。図１０に示すように、凹部Ｐ内の電極層６の形状を平面視したときに、中央部側に円弧状に突出するように形成する。
【００５０】
溶断された温度ヒューズエレメント３の溶融体は、電極層６又は被覆層８上にて円くなろうとするため、電極層６を円弧状にすることにより、凹部Ｐ内の一対の電極層６同士の間にて溶融体が電極層６上に引っ張られ、電気的接続を速やかに遮断することができる。
【００５１】
図１１は、一変形例に係る抵抗温度ヒューズ１と支持体１０とを接合した状態を示す斜視図であって、支持体１０を平板としたものである。
【００５２】
上述した実施形態では、図６に示すように、支持体１０を基体４の下方に向かって延在したが、これに限られない。例えば、図１１に示すように、支持体１０を基体４の下面に沿って平面方向に沿って延在させてもよい。支持体１０の厚みを小さくすることで、抵抗温度ヒューズ１を外部の回路に組み込む自由度を向上させることができる。
【００５３】
＜抵抗温度ヒューズの製造方法＞
ここで、図１に示す抵抗温度ヒューズ１、並びに抵抗温度ヒューズパッケージ２の製造方法について説明する。
【００５４】
先ず、基体４を構成する基板４ａ、基板４ｂ及び基板４ｃを準備する。基体４を構成する各基板が、例えば酸化アルミニウム質焼結体から成る場合、酸化アルミニウム、酸化珪素、酸化マグネシウム及び酸化カルシウム等の原料粉末に、有機バインダー、可塑剤、および溶剤等を添加混合して得た混合物よりグリーンシートを成型する。
【００５５】
また、タングステン又はモリブデン等の高融点金属粉末を準備し、この粉末に有機バインダー、可塑剤又は溶剤等を添加混合して金属ペーストを得る。
【００５６】
次に、グリーンシートの状態の基板４ａに貫通孔を形成する。なお、貫通孔は、複数の基板を積層後に、凹部として機能する。
【００５７】
そして、基板４ａと同様に、基板４ｂ及び基板４ｃ用のグリーンシートを成形する。また、基板４ｂの上面及び下面のそれぞれに、例えばスクリーン印刷法を用いて、金属ペーストを塗って電極層６と、発熱抵抗体５を形成する。さらに、基板４ｃの下面に対して、例えばスクリーン印刷法を用いて、金属ペーストを塗って導電層７を形成する。
【００５８】
次に、基板４ａ、基板４ｂ及び基板４ｃを積層し、約１６００度の温度で一体焼成する。さらに、一体後の基体４の、温度ヒューズエレメント搭載部、回路基板実装部及び支持体の表面に所要のめっきを行う。ここでは、抵抗温度ヒューズについての個片製品の製法を述べたが、多数個取のシート形状による製造が量産性、コスト面からは好ましい。このようにして、抵抗温度ヒューズパッケージ２を作製することができる。
【００５９】
次に、基体４の最上層に位置する基板４ａ上の所定箇所に温度ヒューズエレメント３を実装する。そして、温度ヒューズエレメント３と電極層６とを電気的に接続する。また、基体４上に、温度ヒューズエレメント３を被覆するようにフラックス９を形成する。このようにして、抵抗温度ヒューズ１を作製することができる。
【００６０】
なお、多数個取のシート形状にて作成した抵抗温度ヒューズパッケージ２の個々の抵抗温度ヒューズに相当する部位の所定箇所に温度ヒューズエレメント３を実装した後に、温度ヒューズエレメント３を被覆するようにフラックス９を形成し、その後に多数個取シートを個片に分割することが量産性、コスト面からは好ましい。
【００６１】
＜温度ヒューズエレメントの実装方法＞
ここで、温度ヒューズエレメント３の実装方法について説明する。まず、温度ヒューズエレメント３となる固形物と、凹部Ｐ内に収まる大きさの重しを準備する。
【００６２】
次に、凹部Ｐ内に固形物を載置し、固形物が溶融する温度まで、抵抗温度ヒューズパッケージ２を温める。そして、重しを凹部Ｐ内に入れて、溶融物を平らになるようにする。その後、溶融物が広がった状態で、抵抗温度ヒューズパッケージ２を冷却し溶融物を固化する。さらにその後、重しを外すことで、温度ヒューズエレメント３を形成することができる。
【００６３】
また、一変形例として、凹部Ｐ内に少なくとも突起を三箇所設けておく。凹部Ｐ内に突起を設けておくことで、凹部Ｐ内に重しを載置したときに、突起と重しが接することで、温度ヒューズエレメントの溶融物の厚みを制御することができる。溶融物の厚みは、突起の厚みに合わさせることができ、発熱抵抗体から熱を伝わりやすくすることができる。
【００６４】
また、一変形例として、凹部Ｐ内に突起を設ける代わりに、温度ヒューズエレメント３となる固形物の中に、予めスペーサを混入させておき、固形物を溶融させて重しで平らにするときに、溶融物の厚みをスペーサの厚みに制御することができる。
【００６５】
また、重しにガス抜き用の孔を設けておき、固形物を溶融させて重しで平らにするときに、溶融物から発生するガスを重しの孔から外部に放出することができ、溶融物に気泡が混入するのを抑制することができる。そして、固化した温度ヒューズエレメントに気泡が混入して、発熱抵抗体から伝わる熱が不均一になるのを抑制することができ、温度ヒューズエレメントの溶断する作動特性を良好に維持することができる。
【符号の説明】
【００６６】
１  抵抗温度ヒューズ
２  抵抗温度ヒューズパッケージ
３  温度ヒューズエレメント
４  基体
４ａ，４ｂ，４ｃ  基板
５  発熱抵抗体
６  電極層
７  導電層
８  被覆層
９  フラックス
１０  支持体
１１  伝熱層
Ｐ  凹部
Ｒ  実装面
Ｈ  孔
【図１】
0005489683.tif 000002
【図２】
0005489683.tif 000003
【図３】
0005489683.tif 000004
【図４】
0005489683.tif 000005
【図５】
0005489683.tif 000006
【図６】
0005489683.tif 000007
【図７】
0005489683.tif 000008
【図８】
0005489683.tif 000009
【図９】
0005489683.tif 000010
【図１０】
0005489683.tif 000011
【図１１】
0005489683.tif 000012